【手続補正書】
【提出日】平成16年2月16日(2004.2.16)
【手続補正１】
【補正対象書類名】明細書
【補正対象項目名】発明の名称
【補正方法】変更
【補正の内容】
【発明の名称】自動焦点調節装置、自動焦点カメラ、撮像装置及び自動焦点調節方法
【手続補正２】
【補正対象書類名】明細書
【補正対象項目名】特許請求の範囲
【補正方法】変更
【補正の内容】
【特許請求の範囲】
【請求項１】
複数の異なる領域での焦点状態をそれぞれ検出する焦点検出手段と、検出された各領域での焦点状態に基づいて前記複数の領域のうち所定の領域をピント調定領域として指定し、該指定領域で検出された焦点状態に基づいてレンズの焦点調節を行う焦点調節手段とを有する自動焦点調節装置において、
前記各領域に対応して設けられた複数の表示部のうち、前記指定領域に対応する表示部並びに該表示部と所定の位置関係にある表示部に対しての表示を許可し、前記所定の位置関係にない表示部に対しては表示を禁止する合焦表示制御手段を有したことを特徴とする自動焦点調節装置。
【請求項２】
前記指定領域に対する表示部と所定の位置関係にある表示部とは、前記指定領域に対応する表示部に隣接した位置の表示部であることを特徴とする請求項１記載の自動焦点調節装置。
【請求項３】
前記合焦表示制御手段は、前記各領域で検出された焦点状態が前記指定領域での焦点状態に対して所定の関係を満たすか否かを判定し、前記表示が許可された表示部のうち、前記判定にて所定の関係を満たすと判定された領域に対応した表示部、並びに前記指定領域に対応する表示部を表示状態とすることを特徴とする請求項１又は２記載の自動焦点調節装置。
【請求項４】
複数の異なる領域での焦点状態をそれぞれ検出する焦点検出手段と、検出された焦点状態に基づいて撮影レンズの焦点調節を行う焦点調節手段と、画面においてどの領域が合焦状態になったかを表示する表示手段とを有する自動焦点カメラにおいて、
前記検出された焦点状態のうち合焦状態を表す焦点状態を示す所定の領域並びに該領域と所定の位置関係にある領域であって、かつ、焦点状態が前記合焦状態に対して所定の関係を満たす焦点状態を示す領域範囲を合焦領域として、前記表示手段に表示させる表示制御手段を有したことを特徴とする自動焦点カメラ。
【請求項５】
複数の異なる領域での焦点状態をそれぞれ検出する焦点検出手段と、検出された焦点状態に基づいて撮影レンズの焦点調節を行う焦点調節手段と、画面においてどの領域が合焦状態になったかを表示する表示手段とを有する自動焦点カメラにおいて、
前記検出された焦点状態のうち合焦状態を表す焦点状態を示す所定の領域並びに該領域に近接する領域であって、かつ、焦点状態が前記合焦状態に対して所定の関係を満たす焦点状態を示す領域範囲を合焦領域として、前記表示手段に表示させる表示制御手段を有したことを特徴とする自動焦点カメラ。
【請求項６】
複数の異なる領域での焦点状態をそれぞれ検出する焦点検出手段と、検出された各領域での焦点状態に基づいて前記複数の領域のうち所定の領域を第１の領域として指定し、該第１の領域で検出された焦点状態に基づいてレンズの焦点調節を行う焦点調節手段と、前記第１の領域に対応する表示部並びに該表示部と所定の位置関係にある表示部に対しての表示を許可し、焦点が合っている状態にあっても前記所定の位置関係にない表示部に対しては表示を禁止するよう制御する合焦表示制御手段を有したことを特徴とする自動焦点調節装置。
【請求項７】
複数の異なる領域での焦点状態をそれぞれ検出する焦点検出手段と、前記複数の異なる領域に対応する複数の表示部を有し、該表示部にて焦点検出結果を表示する表示手段と、前記焦点検出手段により検出された各領域での焦点状態に基づいて前記複数の領域のうち所定の領域を第１の領域として指定し、該第１の領域で検出された焦点状態に基づいてレンズの焦点調節を行う焦点調節手段と、前記第１の領域に対応する表示部並びに該表示部と所定の位置関係にある表示部に対しての表示を許可し、焦点が合っている状態にあっても前記所定の位置関係にない表示部に対しては表示を禁止するよう制御する制御する合焦表示制御手段とを有したことを特徴とする撮像装置。
【請求項８】
複数の異なる領域での焦点状態をそれぞれ検出する焦点検出ステップと、検出された各領域での焦点状態に基づいて前記複数の領域のうち所定の領域をピント調定領域として指定し、該指定領域で検出された焦点状態に基づいてレンズの焦点調節を行う焦点調節ステップと、前記各領域に対応して設けられた複数の表示部のうち、前記指定領域に対応する表示部並びに該表示部と所定の位置関係にある表示部に対しての表示を許可し、前記所定の位置関係にない表示部に対しては表示を禁止する合焦表示制御ステップとを有したことを特徴とする自動焦点調節方法。
【請求項９】
複数の異なる領域での焦点状態をそれぞれ検出する検出ステップと、検出された各領域での焦点状態に基づいて前記複数の領域のうち所定の領域を第１の領域として指定し、該第１の領域で検出された焦点状態に基づいてレンズの焦点調節を行う調節ステップと、前記第１の領域に対応する表示部並びに該表示部と所定の位置関係にある表示部に対しての表示を許可し、焦点が合っている状態にあっても前記所定の位置関係にない表示部に対しては表示を禁止するよう制御する制御ステップとを有したことを特徴とする自動焦点調節方法。
【手続補正３】
【補正対象書類名】明細書
【補正対象項目名】０００１
【補正方法】変更
【補正の内容】
【０００１】
本発明は、複数の異なる領域での焦点状態をそれぞれ検出する機能を備えた自動焦点調節装置、自動焦点カメラ、撮像装置及び自動焦点調節方法の改良に関するものである。


【手続補正４】
【補正対象書類名】明細書
【補正対象項目名】０００４
【補正方法】変更
【補正の内容】
【０００４】
例えば、図８（ｂ）の例では、領域ｃ１０の領域においてピント合わせを行った場合、同じ距離にある測距又は焦点検出領域で合焦となり、これら全部の合焦状態を表示すると、赤ちゃんの顔全体の測距又は焦点検出領域で表示が為されてしまう。この様な表示を行うと、合焦している領域は確認できるが、被写体が見難くなり、撮影に支障をきたす。又、実際にピント合わせを行った測距又は焦点検出領域が判らなくなってしまう。


【手続補正５】
【補正対象書類名】明細書
【補正対象項目名】０００７
【補正方法】変更
【補正の内容】
【０００７】
（発明の目的）  本発明の第１の目的は、ピント合わせを行った領域と合焦状態にある領域を明確に認識させ、さらに余分な合焦表示を行わないようにして、画面内の観察に支障を与えないようにすることのできる自動焦点調節装置及び自動焦点調節方法を提供しようとするものである。


【手続補正６】
【補正対象書類名】明細書
【補正対象項目名】０００８
【補正方法】変更
【補正の内容】
【０００８】
本発明の第２の目的は、ピント合わせを行った領域と合焦状態にある領域を明確に認識させ、さらに余分な合焦表示を行わないようにして撮影の妨げにならないようにすることのできる自動焦点カメラ及び撮像装置を提供しようとするものである。


【手続補正７】
【補正対象書類名】明細書
【補正対象項目名】０００９
【補正方法】変更
【補正の内容】
【０００９】
【課題を解決するための手段】
上記第１の目的を達成するために、請求項１〜３記載の本発明は、複数の異なる領域での焦点状態をそれぞれ検出する焦点検出手段と、検出された各領域での焦点状態に基づいて前記複数の領域のうち所定の領域をピント調定領域として指定し、該指定領域で検出された焦点状態に基づいてレンズの焦点調節を行う焦点調節手段とを有する自動焦点調節装置において、前記各領域に対応して設けられた複数の表示部のうち、前記指定領域に対応する表示部並びに該表示部と所定の位置関係にある表示部に対しての表示を許可し、前記所定の位置関係にない表示部に対しては表示を禁止する表示制御手段を有した自動焦点調節装置とするものである。


【手続補正８】
【補正対象書類名】明細書
【補正対象項目名】００１１
【補正方法】変更
【補正の内容】
【００１１】
また、上記第２の目的を達成するために、請求項４記載の本発明は、複数の異なる領域での焦点状態をそれぞれ検出する焦点検出手段と、検出された焦点状態に基づいて撮影レンズの焦点調節を行う焦点調節手段と、画面においてどの領域が合焦状態になったかを表示する表示手段とを有する自動焦点カメラにおいて、前記検出された焦点状態のうち合焦状態を表す焦点状態を示す所定の領域並びに該領域と所定の位置関係にある領域であって、かつ、焦点状態が前記合焦状態に対して所定の関係を満たす焦点状態を示す領域範囲を合焦領域として、前記表示手段に表示させる表示制御手段を有した自動焦点カメラとするものである。


【手続補正９】
【補正対象書類名】明細書
【補正対象項目名】００１３
【補正方法】変更
【補正の内容】
【００１３】
同じく上記第２の目的を達成するために、請求項５記載の本発明は、複数の異なる領域での焦点状態をそれぞれ検出する焦点検出手段と、検出された焦点状態に基づいて撮影レンズの焦点調節を行う焦点調節手段と、画面においてどの領域が合焦状態になったかを表示する表示手段とを有する自動焦点カメラにおいて、前記検出された焦点状態のうち合焦状態を表す焦点状態を示す所定の領域並びに該領域に近接する領域であって、かつ、焦点状態が前記合焦状態に対して所定の関係を満たす焦点状態を示す領域範囲を合焦領域として、前記表示手段に表示させる表示制御手段を有した自動焦点カメラとするものである。


【手続補正１０】
【補正対象書類名】明細書
【補正対象項目名】００１４
【補正方法】変更
【補正の内容】
【００１４】
上記構成においては、合焦状態を示す所定の領域並びに該領域に近接する領域であって、かつ、焦点状態が合焦状態に対して所定の関係を満たす焦点状態を示す領域範囲を合焦領域として表示するようにしている。
また、上記第１の目的を達成するために、請求項６記載の本発明は、複数の異なる領域での焦点状態をそれぞれ検出する焦点検出手段と、検出された各領域での合焦状態に基づいて前記複数の領域のうち所定の領域を第１の領域として指定し、該第１の領域で検出された焦点状態に基づいてレンズの焦点調節を行う焦点調節手段と、前記第１の領域に対応する表示部並びに該表示部と所定の位置関係にある表示部に対しての表示を許可し、焦点が合っている状態にあっても前記所定の位置関係にない表示部に対しては表示を禁止するよう制御する合焦表示制御手段を有した自動焦点調節装置とするものである。
また、上記第２の目的を達成するために、請求項７記載の本発明は、複数の異なる領域での焦点状態をそれぞれ検出する焦点検出手段と、前記複数の異なる領域に対応する複数の表示部を有し、該表示部にて焦点検出結果を表示する表示手段と、前記焦点検出手段により検出された各領域での焦点状態に基づいて前記複数の領域のうち所定の領域を第１の領域として指定し、該第１の領域で検出された焦点状態に基づいてレンズの焦点調節を行う焦点調節手段と、前記第１の領域に対応する表示部並びに該表示部と所定の位置関係にある表示部に対しての表示を許可し、焦点が合っている状態にあっても前記所定の位置関係にない表示部に対しては表示を禁止するよう制御する制御する合焦表示制御手段とを有した撮像装置とするものである。
また、上記第１の目的を達成するために、請求項８記載の本発明は、複数の異なる領域での焦点状態をそれぞれ検出する焦点検出ステップと、検出された各領域での焦点状態に基づいて前記複数の領域のうち所定の領域をピント調定領域として指定し、該指定領域で検出された焦点状態に基づいてレンズの焦点調節を行う焦点調節ステップと、前記各領域に対応して設けられた複数の表示部のうち、前記指定領域に対応する表示部並びに該表示部と所定の位置関係にある表示部に対しての表示を許可し、前記所定の位置関係にない表示部に対しては表示を禁止する合焦表示制御ステップとを有した自動焦点調節方法とするものである。
同じく上記第１の目的を達成するために，請求項９記載の本発明は，複数の異なる領域での焦点状態をそれぞれ検出する検出ステップと、検出された各領域での合焦状態に基づいて前記複数の領域のうち所定の領域を第１の領域として指定し、該第１の領域で検出された焦点状態に基づいてレンズの焦点調節を行う調節ステップと、前記第１の領域に対応する表示部並びに該表示部と所定の位置関係にある表示部に対しての表示を許可し、焦点が合っている状態にあっても前記所定の位置関係にない表示部に対しては表示を禁止するよう制御する制御ステップとを有した自動焦点調節方法とするものである。
【手続補正１１】
【補正対象書類名】明細書
【補正対象項目名】００１８
【補正方法】変更
【補正の内容】
【００１８】
３は、カメラのバッテリー残量，撮影枚数，ＴＶ値，ＡＶ値，露出補正値，合焦状態等を撮影者に知らせる為の後述の液晶表示部材１１，１２、及び、フォーカシングスクリーン上に配置される後述の液晶表示部材１５を駆動する液晶表示回路であり、該液晶表示回路３は、マイクロコンピュータ１からＤＰＣＯＭ信号を受けている間、データバスＤＢＵＳを介しシリアル通信を行い、このシリアル通信によりマイクロコンピュータ１より表示データを受け取ると、そのデータに従って前記液晶表示部材１１，１２，１５を駆動する。


【手続補正１２】
【補正対象書類名】明細書
【補正対象項目名】００３０
【補正方法】変更
【補正の内容】
【００３０】
１１は外部液晶表示部材であり、液晶表示回路３にて駆動される。１２はファインダ内液晶表示部材であり、同様に液晶表示回路３にて駆動される。１３は交換可能な撮影レンズであり、レンズ制御回路２を通して制御される。１４は外付けストロボ装置であり、ストロボ発光調光制御回路５を通して制御される。また、該外付けストロボ装置１４は、カメラ本体とは別な電源を持つ。


【手続補正１３】
【補正対象書類名】明細書
【補正対象項目名】００４１
【補正方法】変更
【補正の内容】
【００４１】
次のステップ＃３０８においては、上記ステップ＃３０６で演算されたＡＶ値やＴＶ値を液晶表示回路３によりファインダ内液晶表示部材１２と外部液晶表示部材１１に表示する。また、上記ステップ＃３０７で得られた各焦点検出領域の各焦点検出結果（及び非合焦の焦点検出領域が被写界深度内であるか否か）を、液晶表示部材１５にそれぞれ表示する（詳細は後述する）。そして、次のステップ＃３０９において、カメラの状態がレリーズを許可して良い状態か否かの判別を行う。例えば、ＡＦモードが「ワンショットモード」である場合は、上記ステップ＃３０７の測距結果が合焦ならばレリーズは許可され、スイッチＳＷ２のチェックを行うためにステップ３１０へ進み、合焦でない場合はステップ＃３０１に戻る。


【手続補正１４】
【補正対象書類名】明細書
【補正対象項目名】００５８
【補正方法】変更
【補正の内容】
【００５８】
このような場合に合焦になった焦点検出領域全てを表示すると肝心の被写体が見ずらく撮影に支障をきたすが、この実施の形態の様にピント合わせを行った領域とその近接領域の合焦状態を表示すれば、赤ちゃんの左目でピント合わせを行ったことが判るし、余分な合焦表示を行って赤ちゃんの顔が見ずらくなって撮影の邪魔になることもない。


【手続補正１５】
【補正対象書類名】明細書
【補正対象項目名】００５９
【補正方法】変更
【補正の内容】
【００５９】
（実施の第３の形態）  以下、本発明の実施の第３の形態について説明する。なお、この実施の形態におけるカメラの電気的構成は上記図２と同様であり、図１のファインダ内表示についても同様であり、又カメラの動作についても図３のフローチャートと同様であるので、これらの説明について省略する。


【手続補正１６】
【補正対象書類名】明細書
【補正対象項目名】００６２
【補正方法】変更
【補正の内容】
【００６２】
この図から判る様に、ｃ０，ｃ２，ｃ４，ｃ６，ｃ８，ｃ１０，ｃ１２，ｃ１４，ｃ１６，ｃ１８，ｃ２０の１１領域が被写界深度状態ならば表示を行う（図７（ｄ）参照）。この領域内で合焦状態の領域は、ｃ２，ｃ４，ｃ６，ｃ８，ｃ１０の領域で、被写界深度内にｃ０が入っているので、これら６領域の表示を行う（図７（ｂ）参照）。


【手続補正１７】
【補正対象書類名】明細書
【補正対象項目名】００６９
【補正方法】変更
【補正の内容】
【００６９】
【発明の効果】
以上説明したように、本発明によれば、ピント合わせを行った領域と合焦状態にある領域を明確に認識させ、さらに余分な合焦表示を行わないようにして、画面内の観察に支障を与えないようにすることができる自動焦点調節装置又は自動焦点調節方法を提供できるものである。


【手続補正１８】
【補正対象書類名】明細書
【補正対象項目名】００７０
【補正方法】変更
【補正の内容】
【００７０】
また、本発明によれば、ピント合わせを行った領域と合焦状態にある領域を明確に認識させ、さらに余分な合焦表示を行わないようにして撮影の妨げにならないようにすることができる自動焦点カメラ又は撮像装置を提供できるものである。


【手続補正１９】
【補正対象書類名】図面
【補正対象項目名】図２
【補正方法】変更
【補正の内容】
【図２】
1999194379.tif 000001
【手続補正２０】
【補正対象書類名】図面
【補正対象項目名】図４
【補正方法】変更
【補正の内容】
【図４】
1999194379.tif 000002